【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
ＬＳＩレイアウト設計装置において、
レイアウトを変更する前のレイアウトを復元するレイアウト復元手段を備え、
前記レイアウト復元手段は、
レイアウト設計処理後の第１の論理回路データにタイミング調整を施した第２の論理回路データに対して、該タイミング調整によって追加されたセルを、該追加されたセルの付近のセルに重ねて配置する手段を備えること
を特徴とするＬＳＩレイアウト設計装置。
【請求項２】
ＬＳＩレイアウト設計装置において、
レイアウトを変更する前のレイアウトを復元するレイアウト復元手段を備え、
前記レイアウト復元手段は、
レイアウト設計処理後の第１の論理回路データにタイミング調整を施した第２の論理回路データに対して、該タイミング調整によって削除されたセルを復元しないで該セルに接続されていた配線を未結線とする手段を備えること
を特徴とするＬＳＩレイアウト設計装置。
【請求項３】
ＬＳＩレイアウト設計装置において、
レイアウトを変更する前のレイアウトを復元するレイアウト復元手段を備え、
前記レイアウト復元手段は、
レイアウト設計処理後の第１の論理回路データにタイミング調整を施した第２の論理回路データに対して、該タイミング調整によって置換されたセルを配置する手段を備えること
を特徴とするＬＳＩレイアウト設計装置。
【請求項４】
前記追加セルによって切断された配線を未結線とする手段を備えること
を特徴とする請求項１に記載のＬＳＩレイアウト設計装置。
【請求項５】
小容量セルに置換された場合には、前記されたセルに接続されない配線を未結線とする手段を備えること
特徴とする請求項３に記載のＬＳＩレイアウト設計装置。
【請求項６】
前記重ねて配置されたセルをハイライト表示する手段を備えること
を特徴とする請求項１又は請求項４に記載のＬＳＩレイアウト設計装置。
【請求項７】
前記置換されたセルをハイライト表示する手段を備えること
を特徴とする請求項３又は請求項５に記載のＬＳＩレイアウト設計装置。
【請求項８】
ＬＳＩレイアウト設計方法において、
レイアウトを変更する前のレイアウトを復元するレイアウト復元工程を備え、
前記レイアウト復元工程は、
レイアウト設計処理後の第１の論理回路データにタイミング調整を施した第２の論理回路データに対して、該タイミング調整によって追加されたセルを、該追加されたセルの付近のセルに重ねて配置する工程を備えること
を特徴とするＬＳＩレイアウト設計方法。
【請求項９】
ＬＳＩレイアウト設計方法において、
レイアウトを変更する前のレイアウトを復元するレイアウトを復元する工程を備え、
前記レイアウト復元工程は、
レイアウト設計処理後の第１の論理回路データにタイミング調整を施した第２の論理回路データに対して、該タイミング調整によって削除されたセルを復元しないで該セルに接続されていた配線を未結線とする工程を備えること
を特徴とするＬＳＩレイアウト設計方法。
【請求項１０】
ＬＳＩレイアウト設計方法において、
レイアウトを変更する前のレイアウトを復元するレイアウト復元工程を備え、
前記レイアウト復元工程は、
レイアウト設計処理後の第１の論理回路データにタイミング調整を施した第２の論理回路データに対して、該タイミング調整によって置換されたセルを配置する工程を備えること
を特徴とするＬＳＩレイアウト設計方法。
【請求項１１】
前記追加セルによって切断された配線を未結線とする工程を備えること
を特徴とする請求項８に記載のＬＳＩレイアウト設計方法。
【請求項１２】
小容量セルに置換された場合には、前記されたセルに接続されない配線を未結線とする工程を備えること
特徴とする請求項１０に記載のＬＳＩレイアウト設計方法。
【請求項１３】
前記重ねて配置されたセルをハイライト表示する工程を備えること
を特徴とする請求項８又は請求項１１記載のＬＳＩレイアウト設計方法。
【請求項１４】
前記置換されたセルをハイライト表示する工程を備えること
を特徴とする請求項１０又は請求項１２に記載のＬＳＩレイアウト設計方法。
【請求項１５】
請求項８乃至請求項１４に記載のＬＳＩレイアウト設計方法のプログラムを記録した記録媒体。
【手続補正２】
【補正対象書類名】明細書
【補正対象項目名】０００９
【補正方法】変更
【補正の内容】
【０００９】
【課題を解決するための手段】
レイアウトを変更する前のレイアウトを復元するレイアウト復元手段を備え、前記レイアウト復元手段は、レイアウト設計処理後の第１の論理回路データにタイミング調整を施した第２の論理回路データに対して、該タイミング調整によって追加されたセルを、該追加されたセルの付近のセルに重ねて配置する手段を備えることを特徴とするＬＳＩレイアウト設計装置、レイアウトを変更する前のレイアウトを復元するレイアウト復元手段を備え、前記レイアウト復元手段は、レイアウト設計処理後の第１の論理回路データにタイミング調整を施した第２の論理回路データに対して、該タイミング調整によって削除されたセルを復元しないで該セルに接続されていた配線を未結線とする手段を備えることを特徴とするＬＳＩレイアウト設計装置、又は、レイアウトを変更する前のレイアウトを復元するレイアウト復元手段を備え、前記レイアウト復元手段は、レイアウト設計処理後の第１の論理回路データにタイミング調整を施した第２の論理回路データに対して、  該タイミング調整によって置換されたセルを配置する手段を備えることを特徴とするＬＳＩレイアウト設計装置を提供する。
【手続補正３】
【補正対象書類名】明細書
【補正対象項目名】００１０
【補正方法】変更
【補正の内容】
【００１０】
本ＬＳＩレイアウト設計装置によれば、タイミング調整によって追加したセルを他の既存のセ ル上に重ねて配置するため、他の復元されたレイアウト部分への影響を無くして、セルを追加したことに起因する他のレイアウト部分におけるタイミングエラーの発生を 防止することができる。 また、タイミング調整によって置換したセルをもとのセル の配置位置にそのまま復元するため、同様に他の復元 されたレイアウト部分への影響を無くして、セルを置換したことに起因する他のレイアウト部分におけるタイミング エラーの発生を防止することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本ＬＳＩレイアウト設計装置によれば、タイミング調整によって追加したセルによって切断された配線をそのまま残すことにより、タイミング調整によって削除されたセルに接続されていた配線をそのまま残すことにより、及びタイミング調整によって他のセルに置換されたもとのセルに接続していた配線をそのまま残すことにより、それら既存の配線を再利用して、新たに配線 することに起因するタイミングエラーの発生を防止することができる。
また、この再利用は、その後に行われる自動配線処理に要する時間の短縮にもつながる。
更に、タイミング調整によって小容量セルに置換された場合、置換により空きとなった部分をセルの配置や配線経路として使用することができ、ＬＳＩの集積度を高めることが可能となる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本ＬＳＩレイアウト設計装置によれば、タイミング調整によって追加したセルをハイライト表示することにより、レイアウト作業者にタイミング調整によって追加されたセルを直ちに認識させることができる。
また、これらのセルは既にレイアウト基盤上に存在するため、レイアウト作業者は、レイアウト基盤上に新たにセルを取り入れることなくセルを移動させて配置する作業を 行うだけで足りる。 これにより、レイアウト作業者の労力を軽減できる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本ＬＳＩレイアウト設計装置によれば、追加されたセルをタイミング調整前のレイアウト上のどの部分に配置すべきかを効率よく知ることができ、レイ アウト作業の迅速化を図ることができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
レイアウトを変更する前のレイアウトを復元するレイアウト復元工程を備え、前記レイアウト復元工程は、レイアウト設計処理後の第１の論理回路データにタイミング調整を施した第２の論理回路データに対して、該タイミング調整によって追加されたセルを、該追加されたセルの付近のセルに重ねて配置する工程を備えることを特徴とするＬＳＩレイアウト設計方法のプログラムを記録した記録媒体、レイアウトを変更する前のレイアウトを復元するレイアウト復元工程を備え、前記レイアウト復元工程は、レイアウト設計処理後の第１の論理回路データにタイミング調整を施した第２の論理回路データに対して、該タイミング調整によって削除されたセルを復元しないで該セルに接続されていた配線を未結線とする工程を備えることを特徴とするＬＳＩレイアウト設計方法のプログラムを記録した記録媒体、又は、レイアウトを変更する前のレイアウトを復元するレイアウト復元工程を備え、前記レイアウト復元工程は、レイアウト設計処理後の第１の論理回路データにタイミング調整を施した第２の論理回路データに対して、該タイミング調整によって置換されたセルを配置する工程を備えることを特徴とするＬＳＩレイアウト設計方法のプログラムを記録した記録媒体を提供する。
【手続補正１９】
【補正対象書類名】明細書
【補正対象項目名】００２６
【補正方法】変更
【補正の内容】
【００２６】
本ＬＳＩレイアウト設計方法のプログラムを記録した記録媒体によれば、本発明たるＬＳＩのレイアウト設計を行う手段の提供が、汎用性の高いまた持ち運びに便利な記録媒体を通して可能となり、本発明の広い実施が見込まれる。